【事件の表示】
　特許第３０２７２４５号「紙幣両替システム」の請求項１に係る特許に対する特許異議の申立てについて、次のとおり決定する。
【結　論】
　訂正を認める。
　特許第３０２７２４５号の請求項１に係る特許を維持する。
【理　由】
（１）手続の経緯
　特許第３０２７２４５号の請求項１に係る発明についての出願は、平成３年９月７日に出願され、平成１２年１月２８日にその発明について特許の設定登録がなされ、その後、その特許について、異議申立人横本幸昌により特許異議の申立てがなされ、取消理由通知がなされ、その指定期間内である平成１４年３月８日に訂正請求がなされたものである。
（２）訂正の適否についての判断
ア．訂正の内容
ａ．特許請求の範囲の【請求項１】における「前記両替機は、・・・姿勢変換手段と、」の記載を、「前記両替機は、回収搬送路と、受入搬送路と、前記紙幣搬送手段により立位姿勢で搬送されてくる低額紙幣を、前記回収搬送路と前記受入搬送路とに振り分ける振分け部材と、前記回収搬送路に連通する回収箱と、前記受入搬送路に連通し、送り込まれた低額紙幣の姿勢を水平姿勢に変換する姿勢変換手段と、」と訂正する。
ｂ．明細書段落【０００５】における「前記両替機は、・・・姿勢変換手段と、」の記載を、「前記両替機は、回収搬送路と、受入搬送路と、前記紙幣搬送手段により立位姿勢で搬送されてくる低額紙幣を、前記回収搬送路と前記受入搬送路とに振り分ける振分け部材と、前記回収搬送路に連通する回収箱と、前記受入搬送路に連通し、送り込まれた低額紙幣の姿勢を水平姿勢に変換する姿勢変換手段と、」と訂正する。
ｃ．明細書段落【０００６】における「両替機内に送り込まれた低額紙幣は姿勢変換手段によって・・・」の記載を、
「両替機内に送り込まれた低額紙幣は、姿勢変換手段が紙幣を受け入れることができる状態になっていなければ、振分け部材により回収搬送路へ振り分けられて回収箱に回収される。一方、姿勢変換手段が待機状態にある場合、当該低額紙幣は、振分け部材により受入搬送路へ振り分けられて姿勢変換手段へ送り込まれる。送り込まれた低額紙幣は、姿勢変換手段によって・・・」と訂正する。
ｄ．明細書段落【００２９】における「方向変換搬送路４６」の記載を、
「方向変換搬送路５９」と訂正する。
イ．訂正の目的の適否、新規事項の有無、及び拡張・変更の存否
　上記訂正事項ａは、明細書段落【００１８】の記載から、「両替機」の構成要素として「回収搬送路」、「受入搬送路」、「前記紙幣搬送手段により・・・振り分ける振分け部材」および「前記回収搬送路に連通する回収箱」を直列的に付加すると共に、これに伴って「姿勢変換手段」の構成を「受入搬送路」との関係で限定しようとするものであるから、特許請求の範囲の減縮を目的とするものである。
　上記訂正事項ｂ、ｃは、上記特許請求の範囲の減縮に伴い、これと整合を図るために発明の詳細な説明を訂正するものであるから、明りょうでない記載の釈明を目的とするものである。
　上記訂正事項ｄは、「方向変換搬送路」の符号４６を５９に訂正するものであるが、明細書段落【００３０】、図８〜１３では、「方向変換搬送路」の符号は５９であるから、誤記の訂正を目的とするものである。
　そして、上記訂正は願書に添付した明細書または図面に記載された事項の範囲を越えるものとは認められないから、新規事項の追加に該当せず、また特許請求の範囲を実質的に拡張または変更するものではない。
エ．むすび
　以上のとおりであるから、上記訂正は、特許法等の一部を改正する法律によるとされる、特許法第１２０条の４第３項において準用する平成６年法律第１１６号による改正前の特許法第１２６条第１項ただし書、第２項および第３項の規定に適合するので、当該訂正を認める。
（３）特許異議の申立てについて
ア．本件発明
　特許第３０２７２４５号の請求項１に係る発明は、平成１４年３月８日付けの訂正明細書の特許請求の範囲の請求項１に記載された次の事項により特定されるとおりのものである。
「【請求項１】パチンコ台等の遊技機が多数列設されてなる島で用いられる紙幣両替システムであって、前記遊技機間に配設され低額紙幣を受入れてパチンコ玉等の遊技媒体を貸出す機能を有する複数の台間遊技媒体貸出機と、前記島の端部に配置され高額紙幣を低額紙幣に両替する機能を有する両替機と、前記島の内部に設けられ前記各台間遊技媒体貸出機に投入された低額紙幣を受取り当該紙幣を前記両替機が設置される島端へ立位姿勢のまま搬送する紙幣搬送手段とを備え、
　前記両替機は、
　回収搬送路と、
　受入搬送路と、
　前記紙幣搬送手段により立位姿勢で搬送されてくる低額紙幣を、前記回収搬送路と前記受入搬送路とに振り分ける振分け部材と、
　前記回収搬送路に連通する回収箱と、
　前記受入搬送路に連通し、送り込まれた低額紙幣の姿勢を水平姿勢に変換する姿勢変換手段と、
　この姿勢変換手段により水平姿勢に変換された低額紙幣を収納する紙幣収納部と、
　この収納部に収納された低額紙幣を払い出す紙幣払い出し手段と
を具備することを特徴とする紙幣両替システム。」
イ．申立ての理由の概要
　申立人横木幸昌は、証拠として甲第１ないし４号証を提出し、請求項１に係る発明は、甲第１号証に記載された発明であるか、または、甲第２ないし４号証に記載の発明から当業者が容易に発明をすることができたものであるから、請求項１に係る発明の特許は、特許法第２９条の２または特許法第２９条第２項の規定に違反してなされたものであり取り消すべき旨主張している。
（なお、申立人は、甲第１号証について、特許法第２９条第１項第３号違反を主張しているが、甲第１号証は、本願出願後に出願公開されたものであるから、この主張は、上記のように読み替えた。）
ウ．甲第１ないし４号証に記載の発明
　甲第１号証（特願平３ー４０７９５号（特開平６ー１４４６２８号公報）明細書、以下先願明細書という。）には、
「複数台よりなる下位紙幣が使用可能な紙幣処理装置列の後部に配置され、前記各紙幣処理装置に挿入された紙幣を共通に搬送する搬送装置と、該搬送装置の搬送軌道上に備えられ、前記紙幣を回収する回収部と、該回収部の下位紙幣を上位紙幣の両替用として払出す紙幣払出し部とよりなる紙幣回収払出し装置。」（請求項１）
「図１および図２の１はパチンコ機やスロットマシン等の遊戯機で、複数台の遊戯機１と、遊戯機１の脇に設けられる玉貸機やメダル貸機等の自動販売装置２とにより遊戯島３が形成されている。また、前記遊戯機１列の背後、すなわち遊戯島３の間には搬送装置４が設けられており、この搬送装置４は紙幣回収払出し装置５と連結している。」（【０００８】）、
「前記自動販売装置２は下位紙幣６である千円紙幣が使用可能な紙幣処理装置２Ａを備え、前記千円紙幣を縦に挿入するものである。また、前記搬送装置４はローラ７にベルト８を環状に備えて、モータによりローラ７を回転させることに伴ってベルト８を駆動させ、下位紙幣６を搬送するものである。また、前記紙幣回収払出し装置５は、搬送装置４により回収した下位紙幣６を収納する回収部１０と、この回収部１０に収納された下位紙幣６を、一万円や五千円紙幣の上位紙幣１１の両替用として払い出す紙幣払出し部１２とよりなる。」（【０００９】）、
「搬送装置４により下位紙幣６が回収部１０内に搬送されると、モータ１３により常時回転している第１コンベア部１４に引き込まれる。第１コンベア部１４は下位紙幣６の搬送方向に所定間隔をあけて左右に一対平行に配設された回転ベルトより成り、下位紙幣６の長手方向両側縁をこの回転ベルトに挾んで引き込ませる。こうして第１コンベア部１４により、紙幣回収払出し装置５内に下位紙幣６が完全に引き込まれた状態となると、図示しない紙幣検知センサ等にて、第１コンベア部１４を停止する。するとモータ１５が作動し、上方に待機していた第１のスタック板１６が下降を始め、第１コンベア部１４に水平に保持されている下位紙幣６を押し下げ、第１コンベア部１４より引き剥がして収納庫１７内へと押し入れる。」（【００１１】）
「このようにして、収納庫１７内には、搬送された下位紙幣６がすべて上方から押し込む如く収納されて、払出し用紙幣として使用されるように準備されている。」（【００１３】）、
「収納庫１７の下部には、収納庫１７より一枚ずつ下位紙幣６を払い出すために関連作動する払出しゴムローラ１９ａ，１９ｂ，１９ｃが設けられてあり、モータ２０により払出しゴムローラ１９ａが回転するとベルト掛けした払出しゴムローラ１９ｂが回転し、また払出しゴムローラ１９ｃも払出しゴムローラ１９ａと摩擦回転する。なお、払出しゴムローラ１９ａにはその周辺の一部にゴム部材１９ｄを備え、払出しゴムローラ１９ａの一回転でこのゴム部材１９ｄと前記払出しゴムローラ１９ｃとで下位紙幣６を挾んで一枚ずつ引き出している。よって最下層の下位紙幣６を払出しゴムローラ１９ｂの摩擦を利用して一枚引き出し、その先端を払出しゴムローラ１９ａと払出しゴムローラ１９ｃにより挾んで更に引き出す。引き出された下位紙幣６はコンベアローラ２１により両替枚数ストック部２２にストックされる。従って一万円あるいは五千円の上位紙幣１１を両替する場合は、その両替枚数分、払出すゴムローラおよびコンベアローラが継続作動して、センサ（図示せず）により払出枚数が所定枚数となったことが判断されると作動が停止し、その結果、両替枚数ストック部２２内には、下位紙幣６が所定の両替枚数分溜められる。この後、払出しコンベア部２３にて搬送され、まとめて両替紙幣を払出し口２４に払出す。なお２５は払出しコンベア部２３の駆動用モータである。」（【００１５】）、
と記載されている。
　上記記載および図１、２、４の記載から、先願明細書には、「複数台のパチンコ機１とパチンコ機１間に配設されてパチンコ玉等の遊技媒体を貸出す機能を有する複数の玉貸機等の自動販売装置２とにより遊戯島３が形成され、遊戯島３の端部に配置され高額紙幣を低額紙幣に両替する機能を有する紙幣回収払出し装置５と、遊戯島３の内部に設けられ自動販売機２に投入された下位紙幣を受取り、当該紙幣を紙幣回収払出し装置５が設置される島端へ縦姿勢、即ち立位姿勢のまま搬送する紙幣搬送装置４とを備え、紙幣回収払出し装置５は、紙幣搬送装置４により縦姿勢で搬送されてくる低額紙幣を水平姿勢に変換し、水平姿勢に変換された低額紙幣を収納する収納庫１７と、この収納庫１７に収納された低額紙幣を払い出す紙幣払出し部１２とを具備する紙幣両替システム。」が記載されているものと認める。
　甲第２号証（特開平３−３８７９４号公報、以下、刊行物１という。）には、「複数の遊技機から構成される遊技機列に複数設けられた紙幣投入口から投入された紙幣を取扱う遊技機用の紙幣取扱い装置において、上記複数の紙幣投入口から投入された紙幣を搬送する搬送手段と、この搬送手段によって搬送されてきた紙幣を積層して蓄積するとともに、蓄積されている紙幣を指定された枚数だけ計数しながら排出する両替手段と、を有することを特徴とする列設遊戯用の紙幣取扱い装置」（特許請求の範囲）と記載され、
発明の詳細な説明には、下記の事項がが記載されているものと認める。
「その第１１図に全体構成が示され、パチンコ機１０問の玉貸機１２の上部パネルに紙幣投入口１１０が設けられ、遊技機列の一端に両替機３００が設置されている。」（第７頁右下欄第１〜１２行参照）
「第１図から第７図を参照して、第２頁右下欄第１行から第５頁左下欄第１２行には、搬送ベルト２１０に搬送箱２２０を固定した搬送機構２００が設けられ、遊技機側において紙幣投入口１１０から投入された紙幣が仮保持部１２０から搬送箱２２０へ移されて、両替機３００へ送られる構成が記載されている。」（とくに第４頁左下欄第１０〜１６行）、「第８図を参照して、第５頁左下欄第２０行から第７頁右上欄第２０行には、（ａ）両替機３００において、搬送機構２００で搬送されてきた紙幣は搬送箱２２０から輸送部３２０へ排出され、下方の紙幣払出し保持部３５０に蓄積される構成（とくに第５頁右下欄第３〜１９行、第６頁右上欄第１０〜１１行）、（ｂ）払い出しにあたっては、紙幣払出し保持部３５０から所定枚数の紙幣が払出し用ローラ３９０、３９２および輸送機構４００によって保持ケース４１０へ導入され、それから輸送機構４２０によって払出し部４３０へ払い出す構成」（とくに第６頁右下欄第１３行〜第７頁左上欄第１３行、第７頁右上欄第１２〜２０行）、
「第８図において、紙幣払出し保持部３５０は傾斜状態に配置されている。また、払出し部４３０へは紙幣が水平に払い出される。また、第１図画平断面図であること、第８図や第１１図の記載から、搬送機構２００は両替機３００まで紙幣を立位で搬送する。」
　上記記載から、刊行物１には、「遊技機間に配設され低額紙幣を受入れてパチンコ玉等の遊技媒体を貸出す機能を有する複数の玉貸機１２と、前記島の端部に配置され高額紙幣を低額紙幣に両替する機能を有する両替機３００と、前記島の内部に設けられ前記各玉貸機１２に投入された低額紙幣を受取り当該紙幣を前記両替機が設置される島端へ立位姿勢のまま搬送する搬送機構２００とを備え、前記両替機３００は、送り込まれた低額紙幣を収納する払出し保持部３５０と、この保持部３５０に蓄積されている紙幣を指定された枚数だけ計数しながら排出する両替手段（輸送機構４００、保持ケース４１０、輸送機構４２０、払出し部４３０）とを具備する紙幣取扱い装置。」が記載されているものと認める。
　甲第３号証（実願昭６３−６３５１３号（実開昭６３−１７５６５５号）のマイクロフィルム、以下、刊行物２という。）には、「搬送機構（２）により搬送されてきた可撓性の薄板状体（ａ）をそれの面方向に方向転換させるべく、当該搬送機構（２）の搬送方向に対して交差する方向に捻りながら摺動移動案内させるための一対のガイド面（７Ｂ）、（７Ｂ）を備えた方向転換ガイド部形成してある薄板状体搬送装置用方向転換ガイド部材」（実用新案登録請求の範囲）、
「本考案は、例えば第６図乃至第８図に示すように、並設された隣接パチンコ台（１）、（１）間に介在された紙幣投入機（２）から送出し紙幣（ａ）をそれの面方向に方向変換させて、パチンコ台（１）よりも下方の位置に搬送する上下搬送装置（５）に受渡すために用いられる薄板状体搬送装置用方向転換ガイド部材に関する。」（１頁１８行〜２頁４行）、
と記載されている。
　甲第４号証（特開昭６３−２３１５８９号公報、以下、刊行物３という。）には、「利用者との間で紙幣の受渡しを行う入出金口と、紙幣を計数する計数機と、紙幣を収納する複数個の収納部と、紙幣を搬送する搬送路と、上記各部の動作をコントロールする制御部を有する自動取引装置において、上記搬送路をその搬送方向が装置の幅方向となるように配置してなる自動取引装置。」（特許請求の範囲第１項）、
「上記入出金口は利用者との間で紙幣の受渡しを装置の前後方向に行えるように構成されると共に上記搬送路はベルト搬送路であり、上記入出口と上記搬送路の間に紙幣の姿勢を変える姿勢変換部を設けてなる特許請求の範囲第１項記載の自動取引装置」（特許請求の範囲第２項）、
と記載されている。
ウ．対比・判断
（特許法第２９条の２違反について）
　本件発明と先願明細書に記載の発明を対比すると、先願明細書に記載の「自動販売機」、「遊戯島」、「紙幣回収払出し装置」、「紙幣搬送装置」、「収納庫」および「紙幣払出し部」は、その機能から、本件発明の「台間遊戯媒体貸出機」、「島」、「両替機」、「紙幣搬送手段」、「紙幣収納部」および「紙幣払い出し手段」に各々相当するから、先願明細書には「パチンコ台等の遊技機が多数列設されてなる島で用いられる紙幣両替システムであって、前記遊技機間に配設され低額紙幣を受入れてパチンコ玉等の遊技媒体を貸出す機能を有する複数の台間遊技媒体貸出機と、前記島の端部に配置され高額紙幣を低額紙幣に両替する機能を有する両替機と、前記島の内部に設けられ前記各台間遊技媒体貸出機に投入された低額紙幣を受取り当該紙幣を前記両替機が設置される島端へ立位姿勢のまま搬送する紙幣搬送手段とを備え、前記紙幣搬送手段により立位姿勢で搬送されてくる低額紙幣を、水平姿勢に変換する姿勢変換手段と、この姿勢変換手段により水平姿勢に変換された低額紙幣を収納する紙幣収納部と、この収納部に収納された低額紙幣を払い出す紙幣払い出し手段とを具備する紙幣両替システム。」は記載されているが、本件発明は、さらに「前記両替機は、回収搬送路と、受入搬送路と、前記紙幣搬送手段により立位姿勢で搬送されてくる低額紙幣を、前記回収搬送路と前記受入搬送路とに振り分ける振分け部材と、前記回収搬送路に連通する回収箱」という構成を具備するものであって、先願明細書には上記構成についての記載はないから、本件発明は先願明細書に記載された発明とすることはできない。
（特許法第２９条第２項違反について）
　本件発明と刊行物１ないし３に記載の発明を対比すると、刊行物１に記載の「玉貸機」、「両替機」、「搬送機構」、「払出し保持部」、「両替手段」および「紙幣取扱い装置」は、その機能からみて、本件発明の「台間遊戯媒体貸出機」、「両替機」、「紙幣搬送手段」、「紙幣収納部」、「紙幣払い出し手段」および「紙幣両替システム」に各々相当するから、刊行物１には、「パチンコ機間に配設され低額紙幣を受入れてパチンコ玉等の遊技媒体を貸出す機能を有する複数の台間遊技媒体貸出機と、前記島の端部に配置され高額紙幣を低額紙幣に両替する機能を有する両替機と、前記島の内部に設けられ前記各台間遊技媒体貸出機に投入された低額紙幣を受取り当該紙幣を前記両替機が設置される島端へ立位姿勢のまま搬送する紙幣搬送手段とを備え、前記紙幣搬送手段により立位姿勢で搬送されてくる低額紙幣を収納する紙幣収納部と、この収納部に収納された低額紙幣を払い出す紙幣払い出し手段とを具備する紙幣両替システム。」が記載され、刊行物２、３には、「立位姿勢で搬送されてくる紙幣を、水平姿勢に変換する姿勢変換手段」は記載されているが、これら刊行物には、本件発明の構成要件である「両替機は、回収搬送路と、受入搬送路と、前記紙幣搬送手段により立位姿勢で搬送されてくる低額紙幣を、前記回収搬送路と前記受入搬送路とに振り分ける振分け部材と、前記回収搬送路に連通する回収箱」については記載されておらず、また、このことを示唆する記載も認められない。
　そして、本件発明は、上記事項を具備することによって、明細書記載の作用効果を奏するものであるから、本件発明は、刊行物１〜３に記載の発明に基づいて当業者が容易に発明をすることができたものとすることはできない。
オ．むすび
　以上のとおりであるから、特許異議申立ての理由および証拠によっては、本件発明の特許を取り消すことはできない。
　また、本件発明の特許を取り消すべき理由を発見しない。
　したがって、本件発明の特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する
【異議決定日】
平成１４年３月２８日（２００２．３．２８）
【訂正の要旨】
　特許第３０２７２４５号の明細書を本件訂正請求書に添付の訂正明細書のとおりに訂正する。即ち、特許請求の範囲の減縮を目的として下記（ａ）のとおり訂正し、明りょうでない記載の釈明を目的として下記（ｂ）、（ｃ）のとおり訂正し、誤記の訂正を目的として下記（ｄ）のとおり訂正する。
ａ．特許請求の範囲の【請求項１】における「前記両替機は、・・・姿勢変換手段と、」の記載を、「前記両替機は、回収搬送路と、受入搬送路と、前記紙幣搬送手段により立位姿勢で搬送されてくる低額紙幣を、前記回収搬送路と前記受入搬送路とに振り分ける振分け部材と、前記回収搬送路に連通する回収箱と、前記受入搬送路に連通し、送り込まれた低額紙幣の姿勢を水平姿勢に変換する姿勢変換手段と、」と訂正する。
ｂ．明細書段落【０００５】における「前記両替機は、・・・姿勢変換手段と、」の記載を、「前記両替機は、回収搬送路と、受入搬送路と、前記紙幣搬送手段により立位姿勢で搬送されてくる低額紙幣を、前記回収搬送路と前記受入搬送路とに振り分ける振分け部材と、前記回収搬送路に連通する回収箱と、前記受入搬送路に連通し、送り込まれた低額紙幣の姿勢を水平姿勢に変換する姿勢変換手段と、」と訂正する。
ｃ．明細書段落【０００６】における「両替機内に送り込まれた低額紙幣は姿勢変換手段によって・・・」の記載を、
「両替機内に送り込まれた低額紙幣は、姿勢変換手段が紙幣を受け入れることができる状態になっていなければ、振分け部材により回収搬送路へ振り分けられて回収箱に回収される。一方、姿勢変換手段が待機状態にある場合、当該低額紙幣は、振分け部材により受入搬送路へ振り分けられて姿勢変換手段へ送り込まれる。送り込まれた低額紙幣は、姿勢変換手段によって・・・」と訂正する。
ｄ．明細書段落【００２９】における「方向変換搬送路４６」の記載を、「方向変換搬送路５９」と訂正する。
（５４）【発明の名称】
紙幣両替システム
（５７）【特許請求の範囲】
　【請求項１】
　パチンコ台等の遊技機が多数列設されてなる島で用いられる紙幣両替システムであって、前記遊技機間に配設され低額紙幣を受入れてパチンコ玉等の遊技媒体を貸出す機能を有する複数の台間遊技媒体貸出機と、前記島の端部に配置され高額紙幣を低額紙幣に両替する機能を有する両替機と、前記島の内部に設けられ前記各台間遊技媒体貸出機に投入された低額紙幣を受取り当該紙幣を前記両替機が設置される島端へ立位姿勢のまま搬送する紙幣搬送手段とを備え、
　前記両替機は、
　回収搬送路と、
　受入搬送路と、
　前記紙幣搬送手段により立位姿勢で搬送されてくる低額紙幣を、前記回収搬送路と前記受入搬送路とに振り分ける振分け部材と、
　前記回収搬送路に連通する回収箱と、
　前記受入搬送路に連通し、送り込まれた低額紙幣の姿勢を水平姿勢に変換する姿勢変換手段と、
　この姿勢変換手段により水平姿勢に変換された低額紙幣を収納する紙幣収納部と、
　この収納部に収納された低額紙幣を払い出す紙幣払い出し手段と
を具備することを特徴とする紙幣両替システム。
【発明の詳細な説明】
　【０００１】
　【産業上の利用分野】
　本発明はパチンコ台等の遊技機が多数列設された島で用いられる紙幣両替システムに関する。
　【０００２】
　【従来の技術】
　従来から、遊技場、例えばパチンコホールにおいては、多数のパチンコ台、複数の台間玉貸機、および端部に設置される両替機等によって所謂島が形成されている。このような島内に設置される台間玉貸機は、低額紙幣（千円紙幣）や硬貨を受入れ、その投入金額あるいは選択ボタンにより指定された金額に対応する個数のパチンコ玉を投出して貸出す機能を有している。また島端に設置される両替機は、高額紙幣（１万円紙幣、５千円紙幣）を低額紙幣（千円紙幣）に交換する機能を有している。そして各台間玉貸機に投入された低額紙幣は、紙幣搬送路を通じて紙幣収納箱へ搬送されて回収されるようになされている。この両替機へは多量の低額紙幣を両替用として充填するようにし、両替需要に備えるようにしている。
　【０００３】
　【発明が解決しようとする課題】
　しかるに上記従来の技術では、紙幣を管理すべき箇所が一つの島において紙幣収納箱と両替機との２箇所に分散するため管理上不便をきたしており、また両替機には予め多量の低額紙幣を両替用として充填しておかなければならないとともに、各台間玉貸機に投入された紙幣は紙幣収納箱に収納されたままにおかれているので資金の利用効率が著しく悪いものとなる。さらに両替機に予め充填することができる両替用紙幣の量には限りがあり、その両替用紙幣が無くなれば営業中であっても機械を停止して紙幣を補充しなければならず、手間が懸るばかりでなく利用客に多大な迷惑をかけることになる。
　【０００４】
　本発明はこれに鑑み、紙幣の保管場所が少なくてすむうえ紙幣の管理を容易に行なうことができ、しかも限られた数量の紙幣を効率よく回転して高い資金利用効率が得られ、かつ両替機の紙幣切れを起こすことがない紙幣両替システムを提供することを目的としてなされたものである。
　【０００５】
　【課題を解決するための手段】
　上記従来の技術が有する問題点を解決するため、本発明は、パチンコ台等の遊技機が多数列設されてなる島で用いられる紙幣両替システムであって、前記遊技機間に配設され低額紙幣を受入れてパチンコ玉等の遊技媒体を貸出す機能を有する複数の台間遊技媒体貸出機と、前記島の端部に配置され高額紙幣を低額紙幣に両替する機能を有する両替機と、前記島の内部に設けられ前記各台間遊技媒体貸出機に投入された低額紙幣を受取り当該紙幣を前記両替機が設置される島端へ立位姿勢のまま搬送する紙幣搬送手段とを備え、前記両替機は、回収搬送路と、受入搬送路と、前記紙幣搬送手段により立位姿勢で搬送されてくる低額紙幣を、前記回収搬送路と前記受入搬送路とに振り分ける振分け部材と、前記回収搬送路に連通する回収箱と、前記受入搬送路に連通し、送り込まれた低額紙幣の姿勢を水平姿勢に変換する姿勢変換手段と、この姿勢変換手段により水平姿勢に変換された低額紙幣を収納する紙幣収納部と、この収納部に収納された低額紙幣を払い出す紙幣払い出し手段とを具備することを特徴とする。
　【０００６】
　【作用】
　各台間遊技媒体貸出機に立位姿勢で挿入される低額紙幣は立位姿勢のまま紙幣搬送手段によって搬送され、島端の両替機内へ送り込まれる。両替機内に送り込まれた低額紙幣は、姿勢変換手段が紙幣を受け入れることができる状態になっていなければ、振分け部材により回収搬送路へ振り分けられて回収箱に回収される。一方、姿勢変換手段が待機状態にある場合、当該低額紙幣は、振分け部材により受入搬送路へ振り分けられて姿勢変換手段へ送り込まれる。送り込まれた低額紙幣は、姿勢変換手段によって水平姿勢に変換され、紙幣収納部に収納される。紙幣収納部に収納された低額紙幣は払い出し手段により払い出され、両替機に投入される高額紙幣の両替用紙幣として使用される。
　【０００７】
　【実施例】
　以下、本発明を図面に示す実施例を参照して説明する。
　【０００８】
　図示の実施例は本発明をパチンコ島における紙幣両替システムとした場合であり、図１はパチンコ島の一部の外観を示し、図２はパチンコ島内での紙幣の流れをシステム構成図として示している。
　【０００９】
　パチンコ島１は、多数のパチンコ台２，２…が背面を向き合わせた状態で列設されており、２台置きのパチンコ台間に台間遊技媒体貸出機としての台間玉貸機３，３…が配設されている。このパチンコ島１の島端には両替機４が設置され、島内には各台間玉貸機３，３…へ投入された紙幣を回収して島端の両替機４まで搬送する紙幣回収コンベア５、島端から各台間玉貸機３，３…へ釣銭用硬貨を補給する硬貨補給コンベア６、各台間玉貸機３，３…へ投入された硬貨を回収して島端の両替機４まで搬送する硬貨回収コンベア（７）がそれぞれ設けられている。
　【００１０】
　台間玉貸機３は、図３に正面を、図４に縦断面を示すように、縦長薄箱状のケース８を有し、このケース８の前面には、千円紙幣を受入れる紙幣投入口９、１００円硬貨と５００円硬貨を受入れる硬貨投入口１０、パチンコ玉を投出するパチンコ玉投出口１１、釣銭として５００円硬貨を投出する硬貨投出口１２、貸与を受けるパチンコ玉数を選択する「５００円用」および「１００円用」の２個の選択ボタン１３，１４がそれぞれ配設されている。
　【００１１】
　ケース８の裏側には図４に各断面を示すようにこれにそって上方部に本発明における紙幣搬送手段に相当する紙幣回収コンベア５が、その直下方位置に５００円硬貨用の硬貨補給コンベア６、１００円および５００円硬貨用の硬貨回収コンベア７がそれぞれ配設されるもので、これらのコンベアは、各樋状のケース５ａ，６ａ，７ａ内に納められたベルト５ｂ，６ｂ，７ｂにより構成されている。
　【００１２】
　前記台間玉貸機３の紙幣投入口９の内方には紙幣識別部１５があり、この識別部１５をパスした紙幣は通路１６を通じて前記紙幣回収コンベア５に受わたされるようになっている。また前記硬貨投入口１０の内方には硬貨識別部１７があって硬貨投入口１０に硬貨通路１８により接続されている。この硬貨識別部１７からは前記硬貨回収コンベア７に連通する回収通路１９、および異金種等を硬貨返却口（釣銭の投出口１２と兼用）へ返却させる返却通路２０がそれぞれ延設されている。
　【００１３】
　前記硬貨補給コンベア６からは硬貨通路２１が分岐され、この硬貨通路２１はケース８内に導かれれて途中で２路に分岐されていて、その一方の通路２２は硬貨投出口１２へ、他方の通路２３は硬貨回収コンベア７へつながっており、前記分岐部２４内には、５００円硬貨を硬貨投出口１２へ１枚ずつ投出し回収時には硬貨回収コンベア７へ連続して送り込むための回転式の切換部材２５が軸承されている。この切換部材２５は、５００円硬貨よりやや厚みのある円板の周囲に５００円硬貨の外周の一部が嵌合する円弧状の凹部２６を有し、他の周面で後続硬貨を留めておくようになっていて、正逆駆動のモータ２７によりギヤ２８，２９を通じて正逆回転されるようになっている。
　【００１４】
　パチンコ玉通路３０は、ケース８の上端からジグザグ状に屈曲しながらその下端がパチンコ玉投出口１１へ導かれ、その下端開口部３１は投出筒３２の周面により常時は塞がれており、この投出筒３２を押上げることにより開口して計数機３３で計数された所定個数のパチンコ玉３４が投出筒３２の下端から投出されるようになっている。
　【００１５】
　上記の台間玉貸機３の機能としては、１００円硬貨あるいは５００円硬貨が投入された場合にはその投入金額に対応する数のパチンコ玉を投出し、千円紙幣が投入された場合には、選択ボタン１３，１４によって指定された金額に対応する数のパチンコ玉を投出する。そして千円紙幣が投入されて５００円用の選択ボタン１４が押された場合にのみ５００円硬貨が釣銭として投出口１２から返却される。
　【００１６】
　両替機４は、その前面に図１に示しているように、１万円紙幣および５千円紙幣を投入する紙幣投入口３５と、両替紙幣として千円紙幣を投出する紙幣投出口３６と、島内の紙幣の搬送状況を示す表示部３７とがそれぞれ配設されている。
　【００１７】
　図５は両替機４の内部構造を示すもので、機体３８の内部にパチンコ島１の紙幣回収コンベア５から送り込まれている千円紙幣を受入れる受入ユニット３９と、送り込まれた千円紙幣の搬送方向を変換する方向変換ユニット４０と、その千円紙幣を一時保留する一時保留ユニット４１と、両替用の紙幣として千円紙幣を集積収納する千円紙幣収納ユニット４２と、この収納ユニット４２内の千円紙幣を投出する千円紙幣投出ユニット４３と、各部の動作を制御する制御部４４とが設けられている。そしてこれらユニットの後方部には図６に示すように硬貨回収コンベア７から送り込まれる硬貨（１００円および５００円硬貨）を処理する硬貨処理ユニット４５が配置されている。
　【００１８】
　前記千円紙幣の受入ユニット３９は、図７に示すように紙幣回収コンベア５と連通する搬送路４６を有し、この搬送路４６は途中で２路に分岐され、その分岐部に設けられる振分け部材４７の回動により紙幣の搬送方向を２方向に振分けて搬送するベルトとローラとの組合せで構成され、分岐された搬送路の一方は紙幣を集積して収納するだけの回収箱４８に連通する回収搬送路４９とされ、他方は方向変換ユニット４０へ連通する受入搬送路５０とされている。前記回収箱４８の内部には、送入された紙幣を順次整然と集積させるための押え板５１が基部を軸５２により枢支して設けられ、常時は図示しないバネにより紙幣送入側へ付勢されている。
　【００１９】
　前記方向変換ユニット４０は、図８および図９に示すように、送り込まれた紙幣の下端を支える受部材５３と、この受部材５３の上方位置にこれと平行して設けられた紙幣の進入側がテーパー部５４ａとされた棒状のローラ５４と、このローラ５４に対向して設けられ、前記受部材５３の上方へ移行してローラ５４に当接する進出位置、およびローラ５４から離反する退避位置にわたり移動可能とされた一対のローラ５５，５５と、このローラ５５，５５の軸５６に接続され前記ローラ５５，５５を連結部材５７を介して前記進出位置および退避位置にわたり移動させるソレノイド５８と、前記棒状のローラ５４の上方位置を始点とし一時保留ユニット４１に通じるベルト構造の方向変換搬送路５９とを有している。この方向変換搬送路５９の始点近傍と終点近傍には各位置における紙幣の有無を検知するセンサ（Ｓ１，Ｓ２）が設けられている。また前記ローラ５５，５５と方向変換搬送路５９とは同じ駆動系により軸６０、ベルト６１を通じて駆動されるようになっている。
　【００２０】
　一時保留ユニット４１は、前記方向変換搬送路５９から矢印（ａ）のように送り込まれる紙幣を集積状態に収納する収納空間部６２と、この収納空間部６２を構成する枠体６３の外側のガイド６４，６４にそって上下動する部材６５，６５に軸６６，６６により枢支され下方に向け矢印のようにひらく開閉可能な底板６７，６７と、収納空間部６２へ送入される紙幣を押える上方へ回動可能な押え板６８とで構成されている。
　【００２１】
　千円紙幣収納ユニット４２は、前記一時保留ユニット４１の直下にあって紙幣を集積状態に収納する収納空間部６９と、この収納空間部６９を構成する枠体７０の外側のガイド７１にそって上下動する部材７２に回動可能に軸支され収納空間部６９内に突出および退避可能とされた板材７３と、前面側に開閉可能に枢支された前扉７４とを有している。
　【００２２】
　硬貨処理ユニット４５は、図６に示すように硬貨回収コンベア７により回収されてくる硬貨を１００円硬貨と５００円硬貨とに分類する選別部７５と、この選別部７５で分類された１００円硬貨を収納する１００円硬貨収納部７６と、前記選別部７５と１００円硬貨収納部７６とを接続するシュート７７と、前記選別部７５で分類された５００円硬貨を収納する５００円硬貨収納部７８と、前記選別部７５と５００円硬貨収納部７８とを接続するシュート７９とを備え、５００円硬貨をまとめて保留するとともに１枚ずつ硬貨補給コンベア６へ投出する５００円硬貨投出部８０、５００円硬貨用シュート７９に隣接して設けられ５００円硬貨を前記投出部８０へ送りり込むための５００円硬貨用リフト８１、前記５００円硬貨用シュート７９内を流れる５００円硬貨を５００円硬貨用リフト８１に取込むための切換手段８２を備えている。
　【００２３】
　千円紙幣投出ユニット４３は、図９のように千円紙幣収納ユニット４２の収納空間部６９の下部にあってこの収納空間部６９内に集積されている千円紙幣を１枚ずつ繰出すフィードローラ８３、キッカローラ８４、および図示しないが紙幣を１枚のみ送り出すためのゲートを構成する逆転ローラ等からなる繰出し手段８５と、この繰出し手段８５によって繰出された千円紙幣を搬送するベルト構造の繰出し搬送路８６と、この搬送路８６の末端に設けられる紙幣保留空間８７と、この紙幣保留空間８７の下部にあって紙幣を前方へ投出させる投出ベルト８８と、前記紙幣保留空間８７内に上下動可能に設けられ保留空間８７内に入った紙幣を投出ベルト８８へ押しつける押しつけローラ８９と、前記繰出し搬送路８６から連続するベルト９０によって構成される回収搬送路９１と、前記紙幣保留空間８７の底面を構成するとともに上下動可能に設けられ紙幣保留空間８７内の紙幣を回収搬送路９１のベルトへ押しつける押しつけ板９２と、前記回収搬送路９１の末端に設けられる回収箱９３とで構成されている。
　【００２４】
　次に上記実施例の作用を説明する。
　【００２５】
　台間玉貸機３の硬貨投入口１０から１００円硬貨あるいは５００円硬貨が投入されると、その硬貨は硬貨識別部１７において識別され、正常硬貨であると判断された場合は投入金額に対応する個数のパチンコ玉が計数機３３により計数されて投出され、異常と判断された場合は返却通路２０を通って硬貨投出口１２へ返却される。
　【００２６】
　正常硬貨と判断されて受入れられた硬貨は、硬貨通路１９を通って硬貨回収コンベア７上へ載置され、他の台間玉貸機３，３…から回収されてくる投入硬貨と一緒に島端の両替機４内の硬貨処理ユニット４５へ搬送される。この投入硬貨は硬貨処理ユニット４５内の選別部７５へ送り込まれ、ここで１００円硬貨と５００円硬貨とが選別される。選別された１００円硬貨は１００円硬貨用シュート７７へ投入され、１００円用収納部７６に収納される。選別された５００円硬貨は５００円硬貨用シュート７９へ投入されるが、このとき投出部８０内に補給用としての５００円硬貨が十分にあれば５００円硬貨用シュート７９の途中にある切換手段８２は切換らず、５００円硬貨用収納部７８へ収納される。投出部８０に補給用の５００円硬貨が十分に無い場合には、前記切換手段８２が切換って５００円硬貨用リフト８１へ送り込まれ、このリフト８１によって上方の投出部８０へ補給される。この投出部８０から５００円硬貨が１枚ずつ硬貨補給コンベア６上へ投出され、このコンベア６から各台間玉貸機３，３…へ補給されて釣銭用として利用される。
　【００２７】
　一方、台間玉貸機３の紙幣投入口９に千円紙幣が投入されると、紙幣識別部１５において識別がなされ、正常紙幣であればこれを取込む。このとき千円用の選択ボタン１３が押されれば千円分のパチンコ玉が投出され、５００円用の選択ボタン１４が押されれば５００円分のパチンコ玉が投出されるとともに切換部材２５が１回転して１枚の５００円硬貨が硬貨投出口１２へ釣銭として投出される。
　【００２８】
　取込まれた千円紙幣は、島内の紙幣回収コンベア５によって短手方向に挟持搬送され、島端の両替機４へ送り込まれる。両替機４へ入った千円紙幣は、受入れ搬送路４６へ受渡され、このとき方向変換ユニット４０が紙幣を受入れることができる状態になっていなければ千円紙幣は振分け部材４７の作用により回収搬送路４９へ送られて回収箱４８に回収される。この回収箱４８に入った千円紙幣は集積状態とされ、押え板５１によって集積状態に保持される。
　【００２９】
　方向変換ユニット４０が待機状態にある場合、千円紙幣は方向変換部へ送り込まれる。この待機状態においてはソレノイド５８は非励磁であり、ローラ５５，５５は退避位置（図９、図１０の状態）におかれていて受部材５３と棒状のローラ５４とローラ５５，５５とで囲まれる受入空間部が形成されており、方向変換搬送路５９は停止している。
　【００３０】
　この受入空間部に千円紙幣が送り込まれるとソレノイド５８が励磁されてローラ５５，５５が進出位置に移動し（図１１）、千円紙幣はローラ５５，５５および方向変換搬送路５９が駆動され、挟持されている千円紙幣は上方、すなわちその短手方向に搬送される。この紙幣の先端が方向変換搬送路５９に到達すると、これをセンサ（Ｓ１）が検知してソレノイド５８を解磁し、ローラ５５，５５が退避位置へ戻される（図１２）。千円紙幣は方向変換搬送路５９に挟持されて搬送され、一時保留ユニット４１の空間部６２内へ送り込まれる。この紙幣の通過をセンサ（Ｓ２）が検知すると方向変換搬送路５９が停止される（図１３）。
　【００３１】
　一時保留ユニット４１の収納空間部６２へ送り込まれた紙幣は底板６７，６７あるいは既に一時保留されている紙幣により下面が受けられ、押え板６８によって上面が押えられた状態で一時保留される。
　【００３２】
　こうして一時保留されている千円紙幣を下方の千円紙幣収納ユニット４２の空間部６９内へ送り込むには、千円紙幣を支持している底板６７，６７が最下位置まで下降し、同時に収納空間部６９内の板材７３が最上位の位置において収納空間部６９内に投出する。ついで前記底板６７，６７が下方にひらき、これに載置されていた千円紙幣が収納空間部６９内の板材７３の上に落下し、この板材７３が徐々に下降して収納空間部６９の底部あるいは既に収納されている収納済紙幣の上面に達すると板材７３が収納空間部６９から退去し、千円紙幣を収納する。なおこの収納空間部６９には、始業前にあらかじめ所定量の千円紙幣を前扉７４をあけて装填しておく。
　【００３３】
　次に利用者が島端の両替機４を利用する場合について説明する。
　【００３４】
　両替機４の紙幣投入口３５に１万円紙幣あるいは５千円紙幣が投入されると、紙幣識別部において識別がなされ、その紙幣が異常紙幣であると判断された場合にはその紙幣を返却し、正常紙幣であればこれを受入れて両替紙幣の投出動作が開始する。すなわち千円紙幣投出ユニット４３の繰出し手段である各ローラ８３，８４が回転し、収納ユニット４２内に集積されている千円紙幣が１枚ずつ繰出される。繰出された千円紙幣は繰出し搬送路８６によって保留空間部８７へ搬送されここに集積される。所定枚数（例えば５枚、１０枚）の千円紙幣が集積されると、押しつけローラ８９が下降し、その千円紙幣が投出ベルト８８に押しつけられる。ついで投出ベルト８８の駆動により千円紙幣は前方の紙幣投出口３６へ送出され、その紙幣を利用者が抜きとる。そして投入紙幣の収納が終れば１回の両替処理が終了する。
　【００３５】
　２枚重ね繰出しや過剰繰出し等の繰出しミスにより繰出された紙幣に異常がある場合には、押しつけ板９２が上昇して紙幣を上方のベルト９０に押しつけ、このベルト９０の駆動によって紙幣が回収搬送路９１を通じて取込まれ、末端の回収箱９３に回収され、繰出し動作からやり直す。
　【００３６】
　【発明の効果】
　以上説明したように本発明によれば、パチンコ等の遊技機の島内において台間遊技媒体貸出機に投入された紙幣を島端に設置される両替機の両替紙幣として使用するので、紙幣の保管場所が少なくてすみ、紙幣の管理が容易になるとともに、限られた数量の紙幣を効率よく回転して使用することができ、資金の利用効率を著しく高め、しかも両替機内の両替用紙幣切れを起こりにくくすることができる。特に両替機内に、立体姿勢で送入される低額紙幣を水平姿勢に変換する姿勢変換手段と、この姿勢変換手段により水平姿勢に変換された低額紙幣を収納する紙幣収納部と、この収納部に収納された低額紙幣を水平姿勢で払い出す紙幣払い出し手段とを設けたことにより、利用客に受取りやすい姿勢で両替紙幣を払い出すことができ、係員による低額紙幣の回収時にも取扱いやすくすることができる。
【図面の簡単な説明】
　【図１】
　本発明の適用対象例としてのパチンコ島を示す一部の斜視図。
　【図２】
　本発明のシステム構成図。
　【図３】
　図１における台間玉貸機の正面図。
　【図４】
　図３の縦断側面図。
　【図５】
　図１の両替機の内部の配置構成図。
　【図６】
　硬貨処理ユニットの配置構成図。
　【図７】
　図５の受入ユニットの具体例を示す平面図。
　【図８】
　同斜視図。
　【図９】
　図５における方向交換ユニット、一時保留ユニット、千円紙幣収納ユニット、千円紙幣投出ユニットの具体例を示す断面図。
　【図１０】
　図９の作用説明図。
　【図１１】
　図９の作用説明図。
　【図１２】
　図９の作用説明図。
　【図１３】
　図９の作用説明図。
　【符号の説明】
１　パチンコ島
２　パチンコ台
３　台間玉貸機
４　両替機
５　紙幣回収コンベア
６　硬貨補給コンベア
７　硬貨回収コンベア
９　紙幣投入口
１０　硬貨投入口
１１　パチンコ玉投出口
１２　硬貨投出口
１３　千円用選択ボタン
１４　５００円用選択ボタン
１５　紙幣識別部
１７　硬貨識別部
２５　切換部材
３５　紙幣投入口
３６　紙幣投出口
３９　受入ユニット
４０　方向変換ユニット
４１　一時保留ユニット
４２　千円紙幣収納ユニット
４３　千円紙幣投出ユニット
４４　制御部
４５　硬貨処理ユニット
４８　回収箱
５３　受部材
５９　方向変換搬送路
６２　収納空間部
６７　底板
６９　収納空間部
７５　選別部
７６　１００円硬貨収納部
７８　５００円硬貨収納部
８０　５００円硬貨投出部
８５　繰出し手段
８７　紙幣保留空間
９３　回収箱